【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
臭気発生物受入設備に設けた複数の受入室にそれぞれ搬入手段によって臭気発生物を搬入する際に前記受入室を脱臭する脱臭方法であって、
前記臭気発生物を搬入した受入室を他の受入室に優先して換気することにより、短時間に前記臭気発生物を搬入した受入室内の臭気濃度を低減して脱臭することを特徴とする脱臭方法。
【請求項２】
臭気発生物受入設備に設けた複数の受入室にこれら受入室にそれぞれ隣接して設けた受入室よりも容量の小さい前室を介して臭気発生物を搬入する際に前記前室を脱臭する脱臭方法であって、
前記臭気発生物を搬入した搬入手段が受入室から外部に出る際は、この搬入手段を前記前室内に一旦留め、この前室を他の前室に優先して一定時間換気することにより、短時間にこの前室内の臭気濃度を低減して脱臭することを特徴とする脱臭方法。
【請求項３】
臭気発生物の種類が複数あり、且つ臭気発生物の種類によって搬入する受入室が異なる場合、予め受入室識別装置によって搬入手段が入室しようとしている受入室が正しいか否かを確認することを特徴とする請求項１又は２に記載の脱臭方法。
【請求項４】
複数の受入室を具備し、これら複数の受入室にそれぞれ搬入手段によって臭気発生物を搬入する臭気発生物受入設備に設置される脱臭装置であって、
前記脱臭装置は、前記臭気発生物を搬入した受入室を他の受入室に優先して換気してその受入室内の臭気濃度を低減して脱臭する換気機構を設置して構成されていることを特徴とする脱臭装置。
【請求項５】
複数の受入室及びこれら受入室にそれぞれ隣接して設けた受入室よりも容量の小さい前室を具備し、これら複数の受入室に前記前室を介してそれぞれ搬入手段によって臭気発生物を搬入する臭気発生物受入設備に設置される脱臭装置であって、
前記脱臭装置は、前記搬入手段が受入室から外部に出る際に一旦留まる前室を他の前室に優先して換気して短時間にこの前室内の臭気濃度を低減して脱臭する換気機構を設置して構成されていることを特徴とする脱臭装置。
【請求項６】
請求項４又は５の何れかに記載の脱臭装置を設置するとともに、受け入れる臭気発生物が一般廃棄物又は産業廃棄物又は汚泥又は化学原料又は食料品原料又は薬品又は肥料であることを特徴とする臭気発生物受入設備。
【手続補正２】
【補正対象書類名】明細書
【補正対象項目名】０００８
【補正方法】変更
【補正の内容】
【０００８】
前記受入室の換気は、この受入室の受入口からの臭気の漏洩を抑制するように、受入室内の臭気を吸引することで行われることが好ましい。
【手続補正３】
【補正対象書類名】明細書
【補正対象項目名】０００９
【補正方法】変更
【補正の内容】
【０００９】
前記複数の受入室の何れにも臭気発生物が搬入されていない場合は、これら複数の受入室の換気を均等に行い、何れか一又は複数の受入室に臭気発生物が搬入された場合は、臭気発生物が搬入されていない受入室の換気を制限してその分臭気発生物が搬入された受入室を優先して換気することが好ましい。
【手続補正４】
【補正対象書類名】明細書
【補正対象項目名】００１０
【補正方法】変更
【補正の内容】
【００１０】
複数の受入室に臭気発生物が搬入された場合は、それぞれの受入室の換気が所定の換気量、換気時間となるように制御することが好ましい。
【手続補正５】
【補正対象書類名】明細書
【補正対象項目名】００１１
【補正方法】変更
【補正の内容】
【００１１】
前記複数の受入室の内の一部又は全部の受入室には、その受入室に隣接してその受入室よりも容量の小さい前室が設置されており、この前室を設置した受入室に臭気発生物を搬入する場合は、この前室を優先換気することが好ましい。
【手続補正６】
【補正対象書類名】明細書
【補正対象項目名】００１２
【補正方法】変更
【補正の内容】
【００１２】
本願の請求項２に記載の発明は、臭気発生物受入設備に設けた複数の受入室にこれら受入室にそれぞれ隣接して設けた受入室よりも容量の小さい前室を介して臭気発生物を搬入する際に前記前室を脱臭する脱臭方法であって、前記臭気発生物を搬入した搬入手段が受入室から外部に出る際は、この搬入手段を前記前室内に一旦留め、この前室を他の前室に優先して一定時間換気することにより、短時間にこの前室内の臭気濃度を低減して脱臭することを特徴とする脱臭方法にある。
【手続補正７】
【補正対象書類名】明細書
【補正対象項目名】００１３
【補正方法】変更
【補正の内容】
【００１３】
前記前室の換気は、この前室の入口からの臭気の漏洩を抑制するように、前室内の臭気を吸引することで行われることが好ましい。
【手続補正８】
【補正対象書類名】明細書
【補正対象項目名】００１４
【補正方法】変更
【補正の内容】
【００１４】
前記複数の前室の何れにも臭気発生物が搬入されない場合は、これら複数の前室の換気を均等に行い、何れか一又は複数の前室に臭気発生物が搬入される場合は、臭気発生物が搬入されない前室の換気を制限してその分臭気発生物が搬入される前室を優先して換気することが好ましい。
【手続補正９】
【補正対象書類名】明細書
【補正対象項目名】００１５
【補正方法】変更
【補正の内容】
【００１５】
複数の前室に搬送手段が搬入される場合は、それぞれの前室の換気が所定の換気量、換気時間となるように制御することが好ましい。
【手続補正１０】
【補正対象書類名】明細書
【補正対象項目名】００１６
【補正方法】変更
【補正の内容】
【００１６】
本願の請求項３に記載の発明は、臭気発生物の種類が複数あり、且つ臭気発生物の種類によって搬入する受入室が異なる場合、予め受入室識別装置によって搬入手段が入室しようとしている受入室が正しいか否かを確認することを特徴とする請求項１又は２に記載の脱臭方法にある。
【手続補正１１】
【補正対象書類名】明細書
【補正対象項目名】００１７
【補正方法】変更
【補正の内容】
【００１７】
本願の請求項４に記載の発明は、複数の受入室を具備し、これら複数の受入室にそれぞれ搬入手段によって臭気発生物を搬入する臭気発生物受入設備に設置される脱臭装置であって、前記脱臭装置は、前記臭気発生物を搬入した受入室を他の受入室に優先して換気してその受入室内の臭気濃度を低減して脱臭する換気機構を設置して構成されていることを特徴とする脱臭装置にある。
【手続補正１２】
【補正対象書類名】明細書
【補正対象項目名】００１８
【補正方法】変更
【補正の内容】
【００１８】
前記換気機構は、各受入室に受入室内の臭気を吸引してこの受入室の受入口からの臭気の漏洩を抑制する機構を設置して構成されていることが好ましい。
【手続補正１３】
【補正対象書類名】明細書
【補正対象項目名】００１９
【補正方法】変更
【補正の内容】
【００１９】
前記換気機構は、前記複数の受入室の何れにも臭気発生物が搬入されていない場合はこれら複数の受入室の換気を均等に行い、何れか一又は複数の受入室に臭気発生物が搬入された場合は臭気発生物が搬入されていない受入室の換気を制限してその分臭気発生物が搬入された受入室を優先して換気する制御手段を有することが好ましい。
【手続補正１４】
【補正対象書類名】明細書
【補正対象項目名】００２０
【補正方法】変更
【補正の内容】
【００２０】
前記制御手段は、複数の受入室に臭気発生物が搬入された場合はそれぞれの受入室の換気が所定の換気量、換気時間となるように制御することが好ましい。
【手続補正１５】
【補正対象書類名】明細書
【補正対象項目名】００２１
【補正方法】変更
【補正の内容】
【００２１】
前記複数の受入室の内の一部又は全部の受入室には、その受入室に隣接してその受入室よりも容量の小さい前室が設置され、前記換気機構は、臭気発生物を搬入する前室を臭気発生物を搬入しない他の前室及び他の受入室に優先して換気することが好ましい。
【手続補正１６】
【補正対象書類名】明細書
【補正対象項目名】００２２
【補正方法】変更
【補正の内容】
【００２２】
本願の請求項５に記載の発明は、複数の受入室及びこれら受入室にそれぞれ隣接して設けた受入室よりも容量の小さい前室を具備し、これら複数の受入室に前記前室を介してそれぞれ搬入手段によって臭気発生物を搬入する臭気発生物受入設備に設置される脱臭装置であって、前記脱臭装置は、前記搬入手段が受入室から外部に出る際に一旦留まる前室を他の前室に優先して換気して短時間にこの前室内の臭気濃度を低減して脱臭する換気機構を設置して構成されていることを特徴とする脱臭装置にある。
【手続補正１７】
【補正対象書類名】明細書
【補正対象項目名】００２３
【補正方法】変更
【補正の内容】
【００２３】
前記換気機構は、各前室に前室内の臭気を吸引してこの前室の入口からの臭気の漏洩を抑制する機構を設置して構成されていることが好ましい。
【手続補正１８】
【補正対象書類名】明細書
【補正対象項目名】００２４
【補正方法】変更
【補正の内容】
【００２４】
前記換気機構は、前記複数の前室の何れにも臭気発生物が搬入されない場合はこれら複数の前室の換気を均等に行い、何れか一又は複数の前室に臭気発生物が搬入される場合は臭気発生物が搬入されない前室の換気を制限してその分臭気発生物が搬入される前室を優先して換気する制御手段を有することが好ましい。
【手続補正１９】
【補正対象書類名】明細書
【補正対象項目名】００２５
【補正方法】変更
【補正の内容】
【００２５】
前記制御手段は、複数の前室に臭気発生物が搬入される場合は、それぞれの前室の換気が所定の換気量、換気時間となるように制御することが好ましい。
【手続補正２０】
【補正対象書類名】明細書
【補正対象項目名】００２６
【補正方法】変更
【補正の内容】
【００２６】
請求項４又は５において、前記搬入手段が入室しようとしている受入室が正しいか否かを確認する受入室識別装置を設置することが好ましい。
【手続補正２１】
【補正対象書類名】明細書
【補正対象項目名】００２７
【補正方法】変更
【補正の内容】
【００２７】
本願の請求項６に記載の発明は、請求項４又は５の何れかに記載の脱臭装置を設置するとともに、受け入れる臭気発生物が一般廃棄物又は産業廃棄物又は汚泥又は化学原料又は食料品原料又は薬品又は肥料であることを特徴とする臭気発生物受入設備にある。
【手続補正２２】
【補正対象書類名】明細書
【補正対象項目名】００２８
【補正方法】変更
【補正の内容】
【００２８】
なお臭気発生物受入設備を含む汚泥溶融設備を構成できる。
【手続補正２３】
【補正対象書類名】明細書
【補正対象項目名】００２９
【補正方法】変更
【補正の内容】
【００２９】
また臭気発生物受入設備を含む廃棄物焼却設備を構成できる。
【手続補正２４】
【補正対象書類名】明細書
【補正対象項目名】００３０
【補正方法】変更
【補正の内容】
【００３０】
本願請求項１，２，４，５に記載の発明によれば、臭気発生物を搬入した受入室（又は前室）を他の受入室（又は前室）に優先して換気するので、全部の受入室（又は前室）を均等に換気する場合に比べて、より効率的に臭気を脱臭することができる。即ち複数の受入室（又は前室）ごとに区切り、臭気をできるだけ狭い範囲にとどめて換気するようにしているので、より効率的で確実に臭気を脱臭することができる。これによって環境への悪影響をなくすことができる。
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】変更
【補正の内容】
【００３４】
本願請求項２，５に記載の発明によれば、搬入手段が受入室から出る際に前室で換気を行うので、受入室から漏れる恐れのある臭気を前室で確実に換気でき、臭気の外部への漏洩をさらに確実に防止することができる。また前室は受入室よりも容量が小さいので、その部屋の換気に要する時間は短くて済み、換気時間の短縮が図られる。
【手続補正２９】
【補正対象書類名】明細書
【補正対象項目名】００３５
【補正方法】変更
【補正の内容】
【００３５】
本願請求項３に記載の発明によれば、臭気発生物の種類によって搬入する受入室が異なっていても、搬入手段が入室すべき受入室を誤認することはない。
【手続補正３０】
【補正対象書類名】明細書
【補正対象項目名】００３６
【補正方法】変更
【補正の内容】
【００３６】
本願請求項６に記載の発明によれば、各種臭気発生物を受け入れる臭気発生物受入設備の脱臭が効果的に行える。
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】